(57)【要約】【課題】縁部の圧迫がなく、縁部の丸まり防止、かつ体型補正機能が充分なボトム衣料を提供することを目的とする。【解決手段】ウエスト部分の少なくとも一部をカバーする部材（以下、Ａ部材と呼ぶ）と、前記Ａ部材以外の身頃部分を形成する部材（以下、Ｂ部材と呼ぶ）とを含むボトム衣料であって、前記Ａ部材が、裁断されたままの状態で縁始末不要な縁を形成しうる伸縮性経編地の複数枚を積層し、一体として形成され、前記Ａ部材が、縁始末不要な縁を有するボトム衣料。【選択図】  図２ 
2005320643.tif 000002
【特許請求の範囲】
【請求項１】
ウエスト部分の少なくとも一部をカバーする部材（Ａ部材）と、
前記Ａ部材以外の身頃部分を形成する部材（Ｂ部材）とを含むボトム衣料であって、
前記Ａ部材が、裁断されたままの状態で縁始末不要な縁を形成しうる伸縮性経編地の複数枚を積層し、一体として形成され、
前記Ａ部材が、縁始末不要な縁を有するボトム衣料。
【請求項２】
前記Ａ部材が、前記ボトム衣料の腹部をさらにカバーする請求項１に記載のボトム衣料。
【請求項３】
前記Ａ部材が、前記ボトム衣料の腰部をさらにカバーする請求項１または２に記載のボトム衣料。
【請求項４】
前記Ａ部材が、前記ボトム衣料のウエスト部分全周を形成する請求項１〜３のいずれかに記載のボトム衣料。
【請求項５】
複数枚の前記経編地の積層が、部分接着により行われる請求項１〜４のいずれかに記載のボトム衣料。
【請求項６】
複数枚の前記経編地の積層が、その伸縮方向を同じ向きにして行われる請求項１〜５のいずれかに記載のボトム衣料。
【請求項７】
前記Ａ部材の前記経編地が、非弾性糸が１×１トリコット組織であり、弾性糸がハーフ組織であり、非弾性糸と弾性糸の両方が閉じ目である請求項１〜６のいずれかに記載のボトム衣料。
【請求項８】
前記Ｂ部材が、裁断されたままの状態で縁始末不要な縁を形成しうる１枚の伸縮性経編地であり、
前記Ｂ部材が、前記ボトム衣料のウエスト部分および裾部分の少なくとも一方に、縁始末不要な縁を有する請求項１〜７のいずれかに記載のボトム衣料。
【請求項９】
前記Ｂ部材のウエスト部分の前記縁始末不要な縁が、前記経編地の編み方向に対して、７５〜１１５度の角度で裁断されている請求項８に記載のボトム衣料。
【請求項１０】
前記Ｂ部材が、裁断されたままの状態で縁始末不要な縁を形成しうる１枚の伸縮性経編地であり、
前記Ｂ部材の前記伸縮性経編地を２つ折りにして、前記ボトム衣料のウエスト部分の縁の一部を形成する請求項１〜９のいずれかに記載のボトム衣料。
【請求項１１】
前記Ｂ部材が、連続した一枚の編地である請求項１〜１０のいずれかに記載のボトム衣料。
【請求項１２】
産前用に用いられる請求項１〜１１のいずれかに記載のボトム衣料。
【発明の詳細な説明】
【技術分野】
【０００１】
本発明は、裁断されたままの状態で縁始末不要な縁を形成しうる編み地から形成される部材を含むボトム衣料に関するものである。
【背景技術】
【０００２】
従来、縁始末を施した衣料は、その部分が厚くなり、そのような衣料の上にタイトな外衣を着用した場合など、その衣料の縁ラインが凸状になって外衣に現れ、外観を損なったり、厚くなった縁始末部が着用感を損なう問題があった。その問題を解決するため、近年、１枚の生地で、裁断されたままの状態で縁始末不要な縁を形成しうる編み地が、開発されている（例えば、特許文献１）。このような生地を用いた、縁部をそのまま処理していないボトム衣料も提供されていた。
【特許文献１】特開２００３−２０１６５４号公報
【発明の開示】
【発明が解決しようとする課題】
【０００３】
例えば加齢に伴い、身体表面において、皮下脂肪が増加、皮膚がたるむ等により、身体表面が柔らかくなることが知られている。そうすると、前記のような縁始末を施したボトム衣料は、その縁部による圧迫があるという問題点があった。また、前記裁断されたままの状態で縁始末不要な縁からなるボトム衣料の縁部（腹部や裾部）は、丸まりやすいという問題点があった。
【０００４】
また、１枚の生地の衣料で形成された前記ボトム衣料は、例えば腹部のような部位において、緊締力が不充分な場合があり、体型補正機能が不充分という問題点があった。
【０００５】
そこで、本発明は、縁部の圧迫がなく、縁部の丸まり防止、かつ体型補正機能が充分なボトム衣料を提供することを目的とする。
【課題を解決するための手段】
【０００６】
本発明は、ウエスト部分の少なくとも一部をカバーする部材（以下、Ａ部材と呼ぶ）と、前記Ａ部材以外の身頃部分を形成する部材（以下、Ｂ部材と呼ぶ）とを含むボトム衣料であって、前記Ａ部材が、裁断されたままの状態で縁始末不要な縁を形成しうる伸縮性経編地の複数枚を積層し、一体として形成され、前記Ａ部材が、縁始末不要な縁を有するボトム衣料である。
【発明の効果】
【０００７】
本発明のボトム衣料は、縁部の圧迫および丸まりが生じやすい、ウエスト部分の少なくとも一部をカバーする部材（Ａ部材）が、複数枚の伸縮性経編地を積層して形成されているので、縁部の圧迫および縁部の丸まりを防止でき、また、充分な緊締力を発揮することができる。
【発明を実施するための最良の形態】
【０００８】
本発明において、ウエスト部分とは、身体の胴周りおよび、その周辺部分を意味する。また、腹部とは、身体の前面部であって、胸に続く胴体下部を意味する。また、腰部とは、身体の後面部であって、腹の反対側を意味する。また、裾部とは、ボトム衣料の下部の縁を意味する。
【０００９】
本発明のボトム衣料において、前記Ａ部材は、前記ボトム衣料の腹部をさらにカバーすることが好ましい。腹部に緊締力を充分に提供できるので、体型補正機能が充分発揮できるからである。
【００１０】
本発明のボトム衣料において、前記Ａ部材は、前記ボトム衣料の腰部をさらにカバーするのが好ましい。腰部に緊締力を充分に提供できるので、体型補正機能が充分発揮できるからである。
【００１１】
本発明のボトム衣料において、前記Ａ部材は、前記ボトム衣料のウエスト部分全周を形成するのが好ましい。ウエスト部に緊締力を充分に提供でき、ウエスト部のシルエットをスッキリさせることができるので、体型補正機能が充分発揮できるからである。
【００１２】
本発明のボトム衣料において、複数枚の前記経編地の積層は、部分接着により行われるのが好ましい。このように接着すると、伸縮させたときに衣料にしわが発生しにくいからである。
【００１３】
本発明のボトム衣料において、複数枚の前記経編地の積層は、その伸縮方向を同じ向きにして行われるのが好ましい。このように積層すると、伸縮させたときに衣料にしわが発生しにくいからである。なお、前記経編地が、縦および横方向に伸縮し、その伸縮性が、縦および横方向で異なる場合は、伸縮性が大きい方向同士が揃うように、積層することが好ましい。
【００１４】
本発明のボトム衣料において、前記Ａ部材の前記経編地は、非弾性糸が１×１トリコット組織であり、弾性糸がハーフ組織であり、非弾性糸と弾性糸の両方が閉じ目であるのが好ましい。このような経編地であれば、良好に、裁断されたままの状態で縁始末不要な縁を形成しうるからである。このような経編地を、図１に示す。図１中、１は非弾性糸、２は弾性糸、３が、編地の編み方向を示す。
【００１５】
本発明のボトム衣料において、前記Ｂ部材は、裁断されたままの状態で縁始末不要な縁を形成しうる１枚の伸縮性経編地であり、前記Ｂ部材が、前記ボトム衣料のウエスト部分および裾部分の少なくとも一方に、縁始末不要な縁を有するのが好ましい。この場合、前記Ｂ部材のウエスト部分の前記縁始末不要な縁は、前記経編地の編み方向に対して、７５〜１１５度の角度で裁断されているのが好ましい。このような角度で裁断されると、良好に、裁断されたままの状態で縁始末不要な縁を形成しうるからである。
【００１６】
本発明のボトム衣料において、前記Ｂ部材は、裁断されたままの状態で縁始末不要な縁を形成しうる１枚の伸縮性経編地であり、前記Ｂ部材の前記伸縮性経編地を２つ折りにして、前記ボトム衣料のウエスト部分の縁の一部を形成するのが好ましい。前記Ｂ部材は、裁断されたままの状態で縁始末不要な縁を形成しうる１枚の伸縮性経編地であるので、２つ折りにしたのみで、充分に縁のほつれが生じず、折り返した経編地の縁部をオーバーロック縫い等の厚みがでる縁始末が不要であり、１本の糸による本縫いなどの簡便で厚みのでない縁始末で充分だからである。また、２つ折りなので、縁ラインが凸状になるほど、段差が生じない。
【００１７】
本発明のボトム衣料において、前記Ｂ部材は、連続した一枚の編地であるのが好ましい。このような前記Ｂ部材であれば、ボトム衣料を形成する際、段差が生じる縫製箇所が少ないからである。
【００１８】
本発明のボトム衣料は、産前用に用いられるボトム衣料が好ましい。前記産前とは、妊娠中であって、出産前の時期を意味する。なお、本発明のボトム衣料の例としては、ショートガードル、セミロングガードル、ロングガードル、ショーツ、スパッツ、水着、レオタード、ボディスリップなどが挙げられる。
【００１９】
以下、図面を参照しながら、本発明の実施形態についてさらに説明する。
【００２０】
（実施形態１）
本実施形態では、本発明のボトム衣料の好ましい形態について説明する。図２は、本発明のボトム衣料の一例のガードル（セミロングタイプ）を示す図であり、（ａ）はその正面側から見た斜視図であり、（ｂ）は、その背面側から見た斜視図である。図２中、１００はボトム衣料を、１０はＡ部材を、２０はＢ部材を、５０は、縫合線を示す。このボトム衣料１００では、Ａ部材１０は、ボトム衣料１００の腹部をさらにカバーしている。
【００２１】
まず、前記Ａ部材について説明する。前記Ａ部材を形成する伸縮性経編地は、裁断されたままの状態で縁始末が不要な縁を形成しうる伸縮性経編地であれば、限定されず、用いることができる。そのような伸縮性経編地としては、例えば、非弾性糸が１×１トリコット組織であり、弾性糸はルーピングのトリコット組織の組み合わせが挙げられる。前記ルーピングのトリコット組織としては、１×１トリコット組織、ハーフ組織、アトラス組織等が挙げられる。この場合、非弾性糸と弾性糸は、同行でも逆行でもよい。また、非弾性糸と弾性糸は、共に閉じ目でも、一方が閉じ目で他方が開き目でも、共に開き目でもよいが、中でも、共に閉じ目の場合と、一方が閉じ目で他方が開き目の場合が好ましく、共に閉じ目の場合がより好ましい。また、非弾性糸がハーフ組織であり、弾性糸が１×１トリコット組織またはハーフ組織であり、かつ非弾性糸と弾性糸の両方が逆行の組み合わせも、用いることができる。
【００２２】
前記Ａ部材を形成する伸縮性経編地の具体例としては、（１）非弾性糸と弾性糸とを同行させ、弾性糸が１×１トリコット組織またはハーフ組織であり、非弾性糸が１×１トリコットであり、かつ非弾性糸と弾性糸の少なくとも一方が閉じ目により編成された伸縮性経編地（例えば、図１に示す経編地）、（２）非弾性糸と弾性糸とを逆行させ、弾性糸が１×１トリコット組織であり、非弾性糸が１×１トリコットであり、かつ非弾性糸と弾性糸の少なくとも一方が閉じ目により編成された伸縮性経編地、（３）非弾性糸と弾性糸とを同行または逆行させ、弾性糸がアトラス組織であり、非弾性糸が１×１トリコット組織であり、かつ非弾性糸と弾性糸の少なくとも一方が閉じ目により編成された伸縮性経編地、（４）非弾性糸と弾性糸とを逆行させ、弾性糸がハーフ組織であり、非弾性糸が１×１トリコット組織またはハーフ組織であり、かつ非弾性糸と弾性糸の少なくとも一方が閉じ目により編成された伸縮性経編地、（５）非弾性糸と弾性糸とを同行または逆行させ、弾性糸が１×１トリコット組織またはハーフ組織であり、非弾性糸が１×１トリコット組織であり、非弾性糸と弾性糸の両方が開き目により編成された伸縮性経編地、（６）非弾性糸と弾性糸とを逆行させ、弾性糸が１×１トリコット組織またはハーフ組織であり、非弾性糸がハーフ組織であり、非弾性糸と弾性糸の両方が開き目により編成された伸縮性経編地および（７）非弾性糸と弾性糸を逆行させ、弾性糸が１×１トリコット組織であり、非弾性糸がハーフ組織であり、非弾性糸と弾性糸の少なくとも一方が閉じ目により編成された伸縮性経編地が挙げられる。中でも、（１）および（２）の例が、裁断されたままの縁のほつれの防止が良好であり、好ましい。なお、前記以外の経編地であっても、裁断されたままの状態で縁始末不要な縁を形成しうる伸縮性経編地であれば、前記例に限定されず、用いることができる。
【００２３】
前記伸縮性経編地に用いる非弾性糸としては、例えば、ナイロンやポリエステルなどの合成繊維、レーヨンなどの半合成繊維のフィラメント糸を使用することができる。吸水性に富むナイロンはインナーウエア用編地の繊維として好適である。非弾性糸としては、細い方が編目を高密度にしやすい一方、細すぎると強度が弱くなってしまう。非弾性糸の繊度は、例えば３３〜２３１ｄｔｅｘ、好ましくは３３〜１５４ｄｔｅｘ、より好ましくは３３〜８９ｄｔｅｘ、さらに好ましくは３３〜７８ｄｔｅｘである。非弾性糸の繊度が３３〜２３１ｄｔｅｘであれば、編地を高密度にでき、かつ安定し強度のある編み組織とすることができるからである。非弾性糸の繊度は、３３〜７８ｄｔｅｘが編地を高密度にしやすく、かつ安定し強度のある編み組織とすることができるので、更に一層好ましい。
【００２４】
前記伸縮性経編地に使用する弾性糸としては、特に制限はないが、例えばポリウレタン弾性糸やその被覆弾性糸を使用することができる。前記弾性糸は、細い方が編地を高密度とできる。前記弾性糸の繊度が１５４ｄｔｅｘ以上となると、裁断したままで縁部始末不要な状態が実現でき、伸度が少なくなる。従って、身体に密着する衣料に使用するには弾性糸の繊度は１５ｄｔｅｘ以上１５４ｄｔｅｘ以下が好ましい。前記弾性糸の繊度は、より好ましくは、１５〜１００ｄｔｅｘ、更に好ましくは３３〜８８ｄｔｅｘである。一方、１５４ｄｔｅｘよりも太い弾性糸は、伸度を要求しない衣料部位に使用することができる。また、２３１ｄｔｅｘ以上３９６ｄｔｅｘ以下の繊度の弾性糸でも、比較的柔らかい弾性糸であれば、裁断しても裁断したままの縁部がほつれにくい状態を実現できる。このような繊度の弾性糸は、伸度は少ないが、伸度を要求しない部位には使用しうる。
【００２５】
前記伸縮性経編地は、編密度が高いほど好ましいが、例えば２．５４ｃｍ（１インチ）当たり例えば５５ウエールを超える高密度、好ましくは６０ウエールを超える高密度、より好ましくは６５ウエールを超える高密度、さらに好ましくは７０ウエール以上の高密度で編成される。このような高密度に編地を編成すれば、前記伸縮性経編地の横伸びの割合が大きくなり、編目の美しさを維持しつつ、前記伸縮性経編地の編目の安定性が向上するからである。
【００２６】
使用する編糸の繊度等にもよるが、具体的には、例えば総本数を３６００本として１３０インチのラッセル編機を使用する場合、前記伸縮性経編地の仕上巾を１００〜１４０ｃｍ（一般的な編地では仕上巾を１６０ｃｍ前後）、より具体的には、１１０ｃｍ、１２０ｃｍ、１３０ｃｍなどにし、可能な範囲で高密度に編成したものが、前記伸縮性経編地において編目の美しさを保持しつつ、その安定性を向上するために望ましい。
前記伸縮性経編地は、プレセットおよび／またはヒートセットを施しておくことが好ましい。このような処理により、編地の安定性、ほつれ防止などの効果を向上することが可能だからである。なお、このプレセットおよびヒートセットは、処理の装置の形状、プレセット処理時間、ヒートセット処理時間、前記伸縮性たて編地の種類、その厚さなどにもよるが、一定の温度より高い温度、例えば１８０℃より高い温度、好ましくは１８５℃より高い温度、より好ましくは１９０℃〜１９５℃の温度範囲で行うことができる。
【００２７】
前記伸縮性経編地においては、部分的に他の部分よりも繊度の大きな弾性糸を編糸に用い、あるいは本数を変える等により、締付パワーを強化したい編地部分を一体に編成することができる。
【００２８】
前記伸縮性経編地は、前記の所要の編成条件にもとづき、ラッシェル編機、トリコット編機などのシングル機等を適宣に選択して公知の手段により容易に編成することができる。編成された編地は、付加価値を高めるため、たとえば染色加工、加熱エンボス加工やパンチング加工によって各種の模様を施すなど、必要により各種の後加工を施すことができる。
【００２９】
前記Ａ部材は、前述のような、裁断されたままの状態で縁始末が不要な縁を形成しうる伸縮性経編地の複数枚を積層して、一体として形成される。この積層方法としては、全面接着、部分接着等、どのような接着方法により積層されてもよい。中でも、積層方法としては、部分接着が好ましい。部分接着であれば、Ａ部材が伸縮されたとき、皺が発生しにくいからである。
【００３０】
前記伸縮性経編地の積層手段としては、例えば、直接重ねた経編地を熱融着させる方法、貼り合せる経編地の間にウレタンフォームを挟んで融着させる融着法、アクリル系、ウレタン系、ボリエステル系あるいは溶融性パウダなどの接着剤を用いて接着する方法が挙げられる。接着剤を用いて接着する方法には、ドクター方式、ローラ方式、反転方式、スプレー方式などがあり、これらの手段を適宜に選択することができる。
【００３１】
前記伸縮性経編地は、貼り合わせる編地同士の編み方向を同一方向または逆方向にして貼り合わせても良いが、同じ方向にして貼り合せるのが好ましい。同じ方向にして貼り合せると、Ａ部材が伸縮されたとき、皺が発生しにくいからである。
【００３２】
前記Ａ部材は、前記伸縮性経編地以外の布またはフィルムとを組み合わせて重ね、貼り合わせてもよい。前記布またはフィルムとしては、裁断されたままの状態で縁始末不要な縁を形成しうる伸縮性経編地でさえあれば、限定されず、例えば、他の経編地、よこ編地、ジャージ、織物、不織布などの布を用いることができる。なお、前記布またはフィルムの枚数は、限定されない。
【００３３】
前記Ａ部材は、前述のような、裁断されたままの状態で縁始末が不要な縁を形成しうる伸縮性経編地の複数枚を積層して、一体とした後に裁断等して形成してもよいし、同形状に予め裁断等しておいた、裁断されたままの状態で縁始末が不要な縁を形成しうる伸縮性経編地の複数枚を積層して、一体としてもよい。
【００３４】
前記Ａ部材のウエスト部分の少なくとも一部をカバーする縁は、前記経編地の編方向に対して、約７５度〜約１１５度の角度を形成していてもよい。中でも、前記縁は、前記経編地の編み方向に対して、約９０度の角度を形成するのが好ましい。
【００３５】
前記Ａ部材は、主たる伸縮方向が、本発明のボトム衣料の上下方向であるのが好ましい。前記Ａ部材の主たる伸縮方向が、ボトム衣料の上下方向である場合、例えば、編み方向に対して平行（０度）前後の角度で裁断してもよい。
【００３６】
前記Ａ部材の、縁始末不要な縁は、前記衣料の、ウエスト部分の少なくとも一部を形成する。前記Ａ部材は、複数枚の前記経編地二枚を積層して形成されているので、厚みがあり、前記衣料のウエスト部分の圧迫や、丸まりを防止できる。さらに、前記Ａ部材が、縁始末不要な縁を有するので、本発明のボトム衣料は、ウエスト部分の縁始末を最小限に抑制できる。従って、縁部に段差が生じず、着用感が向上する。
【００３７】
また、前記Ａ部材は、腹部もカバーしているので、腹部の体型補正機能に優れる。
【００３８】
次に、前記Ｂ部材について、説明する。前記Ｂ部材は、裁断されたままの状態で縁始末不要な縁を形成しうる１枚の伸縮性経編地であるのが好ましい。前記ボトム衣料において、縁始末をできるだけ少なくすることが可能だからである。なお、この実施形態においては、前記Ｂ部材の裾が、縁始末不要な縁のままであり、前記伸縮性経編地を２つ折りにして、前記ボトム衣料のウエスト部分の縁の一部を形成している例について、説明する。
【００３９】
前記裁断されたままの状態で縁始末が不要な縁を形成しうる伸縮性経編地としては、限定されず、例えば、前記Ａ部材について述べた、伸縮性経編地と同様のものを、用いることができる。そのような伸縮性経編地としては、例えば、非弾性糸が１×１トリコット組織であり、弾性糸はルーピングのトリコット組織の組み合わせが挙げられる。前記ルーピングのトリコット組織としては、１×１トリコット組織、ハーフ組織、アトラス組織等が挙げられる。この場合、非弾性糸と弾性糸は、同行でも逆行でもよい。また、非弾性糸と弾性糸は、共に閉じ目でも、一方が閉じ目で他方が開き目でも、共に開き目でもよいが、中でも、共に閉じ目の場合と、一方が閉じ目で他方が開き目の場合が好ましく、共に閉じ目の場合がより好ましい。また、非弾性糸がハーフ組織であり、弾性糸が１×１トリコット組織またはハーフ組織であり、かつ非弾性糸と弾性糸の両方が逆行の組み合わせも、用いることができる。
【００４０】
前記Ｂ部材の伸縮性経編地の具体例としては、前記Ａ部材を形成する伸縮性経編地の具体例と同様であるが、中でも、（１）および（２）の例が、裁断されたままの縁のほつれの防止が良好であり、好ましい。
【００４１】
前記Ｂ部材の裾の縁は、前記経編地の編方向に対して、約７５度〜約１１５度の角度を形成していてもよい。あるいは、前記縁は、前記経編地の編み方向に対して、約０度の角度を形成してもよい。なお、前記Ｂ部材の縁は、直線状であっても、波形状であってもよい。なお、「波形状」とは、規則的な単純な曲線の繰り返しからなるものに限られず、不規則な波形状であってもよい。裁断したままの縁部の形状を波形状にする場合には、各波形状の曲線の曲率をあまり小さくしない方が、引き裂き強度が低下せず、また、当該縁部のめくれなども生じにくくなり好ましい。
【００４２】
前記Ｂ部材のウエスト部をカバーする縁は、前記経編地の編方向に対して、約７５度〜約１１５度の角度を形成していてもよい。前記縁は、前記経編地の編み方向に対して、約０度の角度を形成してもよい。
【００４３】
前記のように、前記Ｂ部材の前記伸縮性経編地を２つ折りにして、前記ボトム衣料のウエスト部分の縁の一部を形成している。例えば、図５に、前記Ｂ部材のウエスト部の折り返し部分の一例を示す。（ａ）は、前記Ｂ部材の折り返し部分の一例の断面図、（ｂ）はその斜視図である。
【００４４】
前記Ｂ部材４０の縁を折り返し、縫合する。図中、４１は、縫合線を示す。このように、２つ折りにされ、縫合されているが、前記Ｂ部材の縁４２は、裁断されたままの状態で縁始末不要な縁を形成しうる伸縮性経編地であるので、さらに、縁４２の部分をオーバーロック縫いなどで縁部始末をする必要がない。従って、縁部に段差が生じず、好ましい。また、前記Ｂ部材の縫合線４１は、糸１本の本縫い等の厚みのでない縫い方であってもよい。
【００４５】
さらに、前記Ｂ部材のウエスト部の縁の一部を形成する前記経編地は、２つ折りされているので、ウエスト部分の強度が大きくなる。従って、前記Ａ部材が形成するウエスト部分と、前記Ｂ部材が形成するウエスト部分は、いずれも、強度が向上しているので、着脱時に強く引っ張られても、その引張強度に耐えることができ、好ましい。
【００４６】
前記Ｂ部材は、主たる伸縮方向が、本発明のボトム衣料の横方向であるのが好ましい。前記ボトム衣料を着用しやすくなるからである。
【００４７】
前記Ｂ部材は、連続した１枚の編地であるのが好ましい。このようなＢ部材から形成される本発明のボトム衣料は、接ぎラインが少なく、段差を生じにくいからである。
【００４８】
（実施形態２）
本実施形態では、本発明のボトム衣料の別の好ましい形態について説明する。図３は、本発明のボトム衣料の一例のガードル（セミロングタイプ）を示す図であり、（ａ）はその正面側から見た斜視図であり、（ｂ）は、その背面側から見た斜視図である。図３中、１０１はボトム衣料を、１１はＡ部材を、２１はＢ部材を示す。このボトム衣料１０１では、Ａ部材１１は、ボトム衣料１０１の腹部および腰部をさらにカバーしている。そのため、前記ボトム衣料１０１は、腹部を抑え、腰を安定、保温することができ、好ましい。
【００４９】
前記Ａ部材１１は、連続した１ピースの部片であっても、２ピース以上の部片から形成されるものであってもよい。２ピース以上の部片から形成される場合、例えば、腹部をカバーする部片と、腰部をカバーする部片とから、形成されることができる。２ピース以上の部片から形成される場合、必要な箇所を縫合等して、例えば、腹部をカバーする部片と、腰部をカバーする部片とを、脇部において縫合することにより、前記Ａ部材１１を形成することができる。
【００５０】
前記Ａ部材１１は、ウエスト部分全周または、ほぼウエスト部分全周を形成することができる。前記Ａ部材１１がウエスト部分全周を形成する場合、前記ボトム衣料１０１は、ウエスト部分全周について、ウエスト部分に緊締力が付与され、好ましい。
【００５１】
前記Ａ部材およびＢ部材の素材等については、実施形態１において、記述したとおりである。
【００５２】
（実施形態３）
本実施形態では、本発明のボトム衣料の別の好ましい形態について説明する。図４は、本発明のボトム衣料の一例のガードル（セミロングタイプ）を示す図であり、（ａ）はその正面側から見た斜視図であり、（ｂ）は、その背面側から見た斜視図である。図４中、１０２はボトム衣料を、１２はＡ部材を、２２はＢ部材を、２３はＣ部材を、５１は縫合線を示す。このボトム衣料１０２では、Ａ部材１２は、ボトム衣料１０２の腹部をさらにカバーしている。そのため、前記ボトム衣料１０２は、腹部を抑えることができ、好ましい。
【００５３】
前記Ａ部材１２は、Ｖ字またはＵ字状形状である。前記Ｖ字またはＵ字の空白部分（以下、Ｃ部材２３と呼ぶ）（三角形状または逆Ｕ字状）には、裁断されたままの状態で縁始末不要な縁を形成しうる１枚の伸縮性経編地から形成されていてもよい。このような１枚の伸縮性経編地としては、前記Ｂ部材について前述した、裁断されたままの状態で縁始末不要な縁を形成しうる１枚の伸縮性経編地と同様のものを用いてもよいし、裁断されたままの状態で縁始末不要な縁を形成しうる伸縮性経編地である限り、市販のものを用いてもよい。
【００５４】
前記Ｃ部材２３は、その裁断されたままの状態で縁始末不要な縁で、ウエスト部分を形成してもよいし、その裁断されたままの状態で縁始末不要な縁を、二重に折り返して、用いてもよい。図４中、５１は、その縫合線を示す。
【００５５】
前記Ａ部材１２は、縁始末不要な縁を有するが、その縁は、特にウエスト部分を形成するのが好ましい。
【００５６】
前記Ａ部材およびＢ部材の素材等については、実施形態１において、記述したとおりである。
【００５７】
（実施形態４）
本実施形態では、本発明のボトム衣料の別の好ましい形態について説明する。前記ボトム衣料は、Ａ部材とＢ部材とを含み、前記Ａ部材は、略四角形または略五角形状とする。このＡ部材は、実施形態１に記載のＡ部材１０と同様の形態で、実施形態１では、腹部もカバーしていたが、本実施形態では、腰部をさらにカバーする。従って、このボトム衣料は、腰部を保護、保温することが可能であり、好ましい。なお、前記Ａ部材は、腹部ではなく、腰部のみに設け、前記Ａ部材の上縁で背面ウエストラインを形成してもよい。前記Ａ部材を、腰部に設けたボトム衣料としては、例えば、産前用ガードル等が挙げられる。
【００５８】
前記Ａ部材は、縁始末不要な縁を有するが、その縁は、特にウエスト部分を形成するのが好ましい。
【００５９】
前記Ａ部材およびＢ部材の素材等については、実施形態１において、記述したとおりである。
【産業上の利用可能性】
【００６０】
本発明のボトム衣料は、体型補正機能用途にも適用できる。
【図面の簡単な説明】
【００６１】
【図１】本発明のボトム衣料で用いられる、好ましい伸縮性経編地の一例の編組織。
【図２】本発明のボトム衣料の一例のガードルを示す図であり、（ａ）はその正面側から見た斜視図であり、（ｂ）は、その背面側から見た斜視図である。
【図３】本発明のボトム衣料の別の例のガードルを示す図であり、（ａ）はその正面側から見た斜視図であり、（ｂ）は、その背面側から見た斜視図である。
【図４】本発明のボトム衣料のさらに別の例のガードルを示す図であり、（ａ）はその正面側から見た斜視図であり、（ｂ）は、その背面側から見た斜視図である。
【図５】Ｂ部材のウエスト部の折り返し部分の一例を示す図であり、（ａ）は、その折り返し部分の一例の断面図、（ｂ）はその斜視図である。
【符号の説明】
【００６２】
１      非弾性糸
２      弾性糸
３      編地の編み方向
１０    Ａ部材
２０    Ｂ部材
５０    縫合線
１００  ボトム衣料
１１    Ａ部材
２１    Ｂ部材
１０１  ボトム衣料
１２    Ａ部材
２２    Ｂ部材
２３    Ｃ部材
５１    縫合線
１０２  ボトム衣料
４０    Ｂ部材
４１    縫合線
４２    縁
【図１】
2005320643.tif 000003
【図２】
2005320643.tif 000004
【図３】
2005320643.tif 000005
【図４】
2005320643.tif 000006
【図５】
2005320643.tif 000007